(57)【要約】【課題】  軽量で強度にも優れ、構成が簡単で製造コストも安価な板体構造を提供しようとするものである。【解決手段】  真空成形により形成された上面板材４と下面板材５の間に、ペーパーハニカム等の軽量芯材６が介装されている。下面板材４の端縁部には補強枠収納部９，９が形成され、その内部に金属枠等の補強枠７，７が収納される。上面板材側面部８と補強枠収納部９，９の外側面部はホットメタルで接合される。補強枠７，７には脚部取付部材を設けることができる。また、下面板材４には脚押さえ部が形成され、表面に木目模様を施すことができる。この板体構造はテーブル天板等に利用できる。【選択図】  図４
0003114095.tif 000002
【実用新案登録請求の範囲】
【請求項１】
真空成形により形成された一対の板材の間に芯材を介装させてなることを特徴とする板体構造。
【請求項２】
前記一対の板材の間に補強枠を介在させたことを特徴とする請求項１に記載の板体構造。
【請求項３】
前記板材は、上面板材と下面板材であることを特徴とする請求項１又は請求項２に記載の板体構造。
【請求項４】
前記下面板材の端縁部に前記補強枠の収納部を形成したことを特徴とする請求項３に記載の板体構造。
【請求項５】
前記上面板材に、下方に向かってＬ字状に屈曲した側面部を形成するとともに、この側面部を前記下面板材の補強枠収納部の外側面部に接合することを特徴とする請求項４に記載の板体構造。
【請求項６】
前記上面板材側面部と前記補強枠収納部の外側面部をホットメルトで接合したことを特徴とする請求項５に記載の板体構造。
【請求項７】
前記芯材は軽量芯材であることを特徴とする請求項１から請求項６に何れか一項に記載の板体構造。
【請求項８】
前記芯材はペーパーハニカムであることを特徴とする請求項１から請求項７の何れか一項に記載の板体構造。
【請求項９】
前記補強枠は金属枠であることを特徴とする請求項１から請求項８の何れか一項に記載の板体構造。
【請求項１０】
前記補強枠に脚部取付部材を設けたことを特徴とする請求項１から請求項９の何れか一項に記載の板体構造。
【請求項１１】
前記下面板材に脚押さえ部を形成したことを特徴とする請求項１から請求項１０の何れか一項に記載の板体構造。
【請求項１２】
前記脚押さえ部は、脚部側面部に圧接する突起部であることを特徴とする請求項１１に記載の板体構造。
【請求項１３】
前記上面板材に木目模様を施したことを特徴とする請求項１から請求項１２の何れか一項に記載の板体構造。
【請求項１４】
前記板体構造は、テーブル天板であることを特徴とする請求項１から請求項１３の何れか一項に記載の板体構造。
【考案の詳細な説明】
【技術分野】
【０００１】
本考案は、テーブル、机、椅子、ラック、キャビネット等の家具類、壁材等の建築材等に利用される板体構造に関するものである。
【背景技術】
【０００２】
この種の板体には、最近、軽量化の目的で各種の中空構造の板体が使用されており、板体内部に金属製やプラスチック製の補強材を埋設したものも知られている。また、脚部等を接続するために、端縁部に角パイプやアングル等の接続部材を埋設したものなどが提案されている（特許文献１）。
【０００３】
しかしながら、中空板体の内部に上述のような補強材を埋設すると重量が重くなり、製造コストも高くなるという問題がある。また、中空板体をプラスッチク材により成形加工する場合、例えばブロー成形法によって中空板体に成形すると、内部に芯材を介装させることが困難となり、製造コストも高くなるという問題がある。さらに、特許文献１に開示されているように、押出成形法等により成形した平板材を下張りを介して芯材の上下面に貼り付ける方法もあるが、作業性が悪くコスト高になり、撓み応力や温度変化等により、板材が芯材から剥離する等の問題がある。
【０００４】
【特許文献１】実公平６−１８５２６号公報
【考案の開示】
【考案が解決しようとする課題】
【０００５】
本考案は、上述した現状に鑑みて提案されたものであり、軽量で強度にも優れ、構成が簡単で製造コストも安価な板体構造を提供しようとするものである。
また本考案は、一対の板材を安価に所定形状に成形することができ、これら板材の間に芯材を介装させるだけで簡単に組み立てることができ、しかも、一対の板材を強固に接合することができる板体構造を提供しようとするものである。
また本考案は、補強枠を板体に簡単に取り付けることができ、この補強枠に脚部等の接続部材を強固に支持することができる板体構造を提供しようとするものである。
さらに本考案は、外観的にも体裁が良く、表面が美麗な板体構造を提供しようとするものである。
【課題を解決するための手段】
【０００６】
上記課題を解決するため、本考案の板体構造は、真空成形により形成された一対の板材の間に芯材を介装させてなることを特徴とする。
【０００７】
板材はプラスチック材であり、真空成形法により成形される。真空成形法は、加熱して軟化した板状のプラスチックを所定形状の型に乗せ、型とプラスチックの間の空気を吸引して真空状態にすることにより、型に沿った形状に成形する方法であり、表面性状が美麗な成型品が得られる。一対の板材は、この真空成形法によって、互いに組み合わせたとき所定の板体形状となるように成形される。プラスチック材料は、特に限定されないがポリプロピレン、ポリカーボネイト、ＡＢＳ等が使用される。
【０００８】
前記芯材は一対の板材の空間部の全体に介装させるものであるが、用途によっては部分的に介装することもできる。芯材は軽量芯材であり、その素材は特に限定されないが、例えば紙材、発泡スチロールなどの軽量素材が好ましい。なかでもペーパーハニカムは適度の耐圧縮強度を有し、加工性、組み付け作業性が良好で安価であり、好適な芯材である。
【０００９】
また本考案は、前記一対の板材の間に補強枠を介装させたことを特徴とする。この補強枠は、例えば金属製又はプラスチック製パイプ、木製角棒材等であり、板体の強度を確保するとともに、脚部や腕部等の接続部材の支持部となる。この補強枠は、板体の端縁部の全周部に介装されるが、用途によっては部分的に介装することもでき、クロス状、格子状等に介装することもできる。
【００１０】
本考案の板体構造を天板等として使用する場合、一対の板材は、上面板材と下面板材である。また、壁材等として使用する場合は、一対の板材は、左側面板材と右側面板材である。
【００１１】
本考案では、前記下面板材の端縁部に前記補強枠の収納部を形成することを特徴とする。これにより前記補強枠の取り付け作業が容易になる。補強枠収納部の形状は補強枠の外形状に対応しており、補強枠が角バイプであれば凹状に形成し、丸パイプであればＵ字状に形成することができる。
【００１２】
また本考案は、前記上面板材に、下方に向かってＬ字状に屈曲した側面部を形成するとともに、この側面部を前記下面板材の補強枠収納部の外側面部に接合することを特徴とする。これにより全体の構成が簡素となり、補強枠収納部の外側が上面板で覆われるため、外観的な体裁も良くなる。なお、下面板材の補強枠収納部と上面板材の側面部は板体の全周部に形成されるが、補強枠の介装形態によって部分的に形成することもできる。
【００１３】
本考案では、前記上面板材の側面部と下面板材の補強枠収納部の外側面部をホットメルトで接合することを特徴とする。これにより上面板材と下面板材を強固に接合することができ、撓み応力や温度変化等により両者が容易に離脱することはない。上下両面板材と芯材の接合、下面板材の補強枠収納部と補強枠の接合もホットメルトで接合してもよい。ホットメルトは、無溶剤型の接着剤を使用し、熱で所定箇所に溶解塗布した後、急冷することにより短時間で接着剤を固化させる接着方法であり、作業性、経済性に優れ、また溶剤を使用しないことから安全性にも優れている。
【００１４】
本考案では、前記補強枠に脚部取付部材を設けることができる。脚部取付部材は、折り畳み式脚部の場合は、脚部を枢着するための金具、脚部と補強枠を連結する折り畳み式リンク機構等であり、固定式脚部の場合は、脚部を支持固定するアングル等である。
【００１５】
また本考案は、前記下面板材に脚押さえ部を形成したことを特徴とする。この脚押さえ部により、折り畳み式脚部の場合、折り畳んだ脚部を板体の所定位置に保持しておくことができる。脚押さえ部は、脚部側面部に圧接する突起部であることを特徴とするものであり、具体的には、下面板材の補強枠収納部における脚部との対向面に突起部を形成し、脚部に形成した係入穴と圧接係入することにより、簡単な構成で脚部を保持することができる。脚部押さえ部は、脚部の適所を挟持するホルダー型でもよい。
【００１６】
前記上面板材には、その表面にプリント等により木目模様を施すことにより外観が美麗になる。このような板体構造は、テーブル天板の用途に適している。
【考案の効果】
【００１７】
本考案の板体構造によれば、軽量で強度にも優れ、構成が簡単で製造コストも安価である。
また、一対の板材を安価に所定形状に成形することができ、これら板材の間に芯材を介装させるだけで簡単に組み立てることができ、しかも、一対の板材を強固に接合することができる。
また本考案は、補強枠を板体に簡単に取り付けることができ、この補強枠に脚部等の接続部材を強固に支持することができる。
さらに本考案は、外観的にも体裁が良く、表面が美麗である、等の効果を有している。
【考案を実施するための最良の形態】
【００１８】
以下、本考案の実施形態を添付図面に従って説明する。図１乃至図３は、本考案の板体構造をテーブルの天板に適用した場合の実施形態を示しており、図１は中央断面正面図、図２は裏面図、図３は中央断面側面図である。
【００１９】
テーブル本体１は、天板２と、この天板２の長手方向両端部の裏面部に折り畳み自在に設けられた脚部３，３から構成されている。
【００２０】
天板２は、図４に示すように上面板材４と、下面板材５と、これらの間に介在させた芯材６と、天板２の裏面側端縁部に設けられた補強枠７，７から構成されている。上面板材４と下面板材５は真空形成法により成形され、上面板材４は、Ｌ字状に屈曲した側面部８，８が形成されている。また、下面板材５の側端部には凹状の補強枠収納部９，９が形成されている。なお、図４には示していないが、上面板材４の側面部８，８と下面板材５の補強枠収納部９，９は、各板材４，５の全周端部に形成されている。
【００２１】
真空成形法は通常の方法であり、ポリプロピレン等のプラスチックシートを所定温度に加熱した後、そのシートを上面板材４又は下面板材５を成形するための各金型上に設置する。つぎにシートと金型の間の空間を真空状態にしてシートを金型に密着させ、シートを図４に示した形状に成形した後、シートを急冷して金型から離型するものである。成形方法は単発式でも連続式でもよい。上面板材４の表面は金型と接触しないため、さまざまな表面加飾を施すことができ、ここでは木目模様がプリントされている。
【００２２】
芯材６は、ここではペーパーハニカムを使用しており、上面板材４と下面板材５の間の全体に介装されている。ペーパーハニカムは図５に示すように、紙材により蜂の巣状に多数の隔室空間を形成したものである。ペーパーハニカムは、金属材やプラスチック材等に比較して軽量で安価であり、上下方向の耐圧縮性に優れている。また補強枠７，７は、ここでは金属製の角パイプを使用している。金属製角パイプは強度的にも強く、脚部等を強固に支持することができる。
【００２３】
天板２となる板体構造を組み立てる場合は、下面板材５の補強枠収納部９，９に補強枠７，７を挿入すると共に、上面板材４と下面板材５の間に芯材６を挟んだ状態で、上面板材側面部８，８と下面板材補強枠収納部９，９の外側面部をホットメルトにより接合する。この場合、上面板材４と芯材６と下面板材５をホットメルトで接合してもよく、補強枠収納部９，９と補強枠７，７をホットメルトで接合してもよい。
【００２４】
脚部３，３は、天板２の長さ方向両端部に折り畳み可能に設けられており、図２乃至図３に示すように、それぞれ一対の脚柱３ａ，３ａと、これら脚柱３ａ，３ａを連結する中央連結棒３ｂ，３ｂと後端連結棒３ｃ，３ｃを有している。
【００２５】
脚部３，３は、天板２の補強枠７，７に設けられた各脚部取付部材１５により取り付けられる。以下、一箇所の脚部取付金具１５を例にとって説明すると、図６乃至図８に示すように、長さ方向の補強枠７と幅方向の補強枠７ａには固定金具２１，２２が固定されており、脚柱３ａの後端部が、これら固定金具２１，２２に連結ピン２４で枢着されている。
【００２６】
また、長さ方向の補強枠７の後端部近くには、内方に突出する支持金具２０が固定されている。この支持金具２０の連結軸２６には第一連結リンク２３の一端部が枢着されると共に、連結リンク２３の他端部は、後端連結棒３ｃの一端部に回動可能に嵌め込まれている。また、脚柱３ａと連結リンク２３には第二連結リンク２５が連結され、それぞれが連結ピン２７，２７により枢着されている。
【００２７】
第一連結リンク２３の後端部には、図７に示すようにスットパ部２８が起立形成されており、第二連結リンク２５の先端部には、このストッパ部２８と干渉する切欠部２９が形成されている。
【００２８】
図９は脚押さえ部１６の一例を示したものであり、下面板材４の補強枠収納部９の脚柱３ａとの対向面に湾曲状に膨出した突起部１０が形成されると共に、脚柱３ａの対向面に係入穴１１が形成され、脚柱３ａを折り畳んだとき、突起部１０が係入穴１１に圧接係入して、脚柱３ａを保持するようにしたものである。突起部１０の圧接力だけで脚柱３ａを保持できるときは、脚柱３ａに係入穴１１を形成しなくともよい。
【００２９】
図１０は脚押さえ部１６の別の例であり、下面板材４にホルダー型の保持部材１７を形成したものである。保持部材１７は左右内面側に突起部１７ａ，１７ａが形成されており、保持部材１７に脚柱３ａを挿入すると、脚柱３ａの両側部が突起部１７ａ，１７ａに圧接し、保持部材１７の弾性力と相俟って脚柱３ａが保持される。保持部材１７は下面板材１４と一体成形してもよいし、別個に成形したものを下面板材４に固定するようにしてもよい。
【００３０】
上述した脚部３を、開脚するときは、連結ピン２４を支点として脚柱３ａを下方に回転させると、図７及び図８に示すように、第一連結リンク２３と第二連結リンク２５が連結軸２６及び連結ピン２７，２７を支点として斜め方向に回転し、第一連結リンク２３のストッパ部２８が第二連結リンク２５の切欠部２９に係止される。これにより脚柱３ａの閉脚方向の移動が阻止される。また、脚部３を折り畳むときは、第一連結リンク２３と第二連結リンク２５の連結部付近を押し上げてストッパ部２８と切欠部２９の係止関係を解除し、脚柱３ａを天板２の裏面部方向に回転させて閉脚する。
【００３１】
図１１は、本考案の天板２を使用したテーブルの別の例であり、天板２の下方に棚３０を設けたものであり、棚３０は、多数の棒フレームを横方向に並設して構成されている。この棚３０は、第三連結リンク３１，３１により脚柱３ａ，３ａに枢着されており、脚柱３ａ，３ａを折り畳んだとき、天板２の裏面側に変位するようになっている。
【００３２】
上述した実施態様は本考案の板体構造をテーブル天板に適用した場合の例であるが、机、椅子、ラック、キャビネット等の天板や側面板、あるいは建築材の壁材等にも利用できるものである。
【図面の簡単な説明】
【００３３】
【図１】本考案の板体構造を使用したテーブルの中央断面正面図である。
【図２】同じく裏面図である。
【図３】同じく中央断面側面図である。
【図４】本考案の板体構造の断面斜視図である。
【図５】本考案で使用する芯材を説明するための板体構造の一部切欠平面図である。
【図６】図２のＢ部拡大図である。
【図７】図１のＡ部拡大図である。
【図８】図３のＣ部拡大図である。
【図９】本考案の脚部保持部を説明するための拡大図である。
【図１０】本考案の脚部保持部の別の例を示す拡大図である。
【図１１】本考案の別の実施態様を示すテーブルの中央断面正面図である。
【符号の説明】
【００３４】
１はテーブル本体
２は天板
３は脚部
３ａは脚柱
３ｂは中央連結棒
３ｃは後端連結棒
４は上面板材
５は下面板材
６は芯材
７は補強枠
８は上面板材側面部
９は補強枠収納部
１０は突起部
１１は係入穴
１５は脚部取付部材
１６は脚押さえ部
１７は保持部材
１７ａは突起部
２０は支持金具
２１，２２は固定金具
２３は第一連結リンク
２４は連結ピン
２５は第二連結リンク
２６は連結軸
２７は連結ピン
２８はストッパ部
２９は切欠部
３０は棚
３１は第三連結リンク
【図１】
0003114095.tif 000003
【図２】
0003114095.tif 000004
【図３】
0003114095.tif 000005
【図４】
0003114095.tif 000006
【図５】
0003114095.tif 000007
【図６】
0003114095.tif 000008
【図７】
0003114095.tif 000009
【図８】
0003114095.tif 000010
【図９】
0003114095.tif 000011
【図１０】
0003114095.tif 000012
【図１１】
0003114095.tif 000013